(57)【要約】【課題】大型の吊上げ機械を用いることができないことに伴って、塊状部材と塊状の控え部材とを連結部材を介して連結した土木構築物用ユニットを搬送することができない場合であっても、該土木構築物用ユニットを用いて施工した場合と同等の土木構築物を提供する。【解決手段】設置面３上に、前側自然石９と後側自然石１０とを配置し、その前側自然石９の上面部９ａと後側自然石１０の上面部１０ａとを軸状部材１２を介して連結することにより、前側自然石９と後側自然石１０とを軸状部材１２を介して連結する土木構築物用ユニットを作り上げる。この後、作り上げた土木構築物用ユニットの前側自然石９と後側自然石１０との間に、砕石等２１を充填して充填材層５を形成し、以後、この一連の工程を繰り返すことにより、従来同様の安定で強固な土木構築物を得る。【選択図】      図８
2010189860.tif 000002
【特許請求の範囲】
【請求項１】
傾斜基礎面の前方の設置面上に、該傾斜基礎面に対向して充填材層が配置され、該充填材層の表面側に複数の塊状部材が表面層として複数段に積み上げられた状態をもって配置され、前記充填材層の背面側に、前記各段の塊状部材に対応するようにした状態で控え部材が配置され、前記各段の塊状部材と前記控え部材とが、前記充填材層を横切る連結部材を介して連結されている土木構築物において、
前記連結部材の一端部が、前記塊状部材の上面部に連結され、
前記連結部材の他端部が、前記控え部材の上面部に連結されている、
ことを特徴とする土木構築物。
【請求項２】
請求項１において、
前記連結部材の各端部に挿通孔がそれぞれ形成され、
前記塊状部材及び前記控え部材の各上面部に、取付け孔がそれぞれ形成され、
前記連結部材の一端部と前記塊状部材の上面部とが、該連結部材の一端部の挿通孔及び該塊状部材の取付け孔に対して挿入される取付けアンカーをもって連結され、
前記連結部材の他端部と前記控え部材の上面部とが、該連結部材の他端部の挿通孔及び該控え部材の取付け孔に対して挿入される取付けアンカーをもって連結されている、
ことを特徴とする土木構築物。
【請求項３】
請求項１において、
前記各段における複数の塊状部材に対応する控え部材として、共通の控え部材が備えられ、
前記各段の複数の塊状部材が、前記共通の控え部材に対して連結部材を介して個々に連結されている、
ことを特徴とする土木構築物。
【請求項４】
請求項２において、
前記各段における複数の塊状部材に対応する控え部材として、共通の控え部材が備えられ、
前記各段における複数の塊状部材からそれぞれ延びる各連結部材の他端部が、前記共通の控え部材の上面部に対して、共通の取付けアンカーを該各連結部材の他端部の挿通孔に挿通させつつ該共通の控え部材の取付け孔に打ち込むことにより取付けられている、
ことを特徴とする土木構築物。
【請求項５】
請求項１〜４のいずれか１項において、
前記充填材層が、詰め石からなる充填層により形成されている、
ことを特徴とする土木構築物。
【請求項６】
請求項１〜５のいずれか１項において、
前記各控え部材の径が、前記各塊状部材の径よりも小さくされ、
前記各控え部材が、間詰材により高さ調整されている、
ことを特徴とする土木構築物。
【請求項７】
請求項６において、
前記各控え部材が、前記連結部材が略水平状態となるように高さ調整されている、
ことを特徴とする土木構築物。
【請求項８】
傾斜基礎面の前方の設置面上に、該傾斜基礎面に対向して充填材層が配置され、該充填材層の表面側に複数の塊状部材が表面層として複数段に積み上げられた状態をもって配置され、前記充填材層の背面側に、前記各段の塊状部材に対応するようにした状態で控え部材が配置され、前記各段の塊状部材と前記控え部材とが、前記充填材層を横切る連結部材を介して連結されている土木構築物の構築方法において、
前記設置面上に、前記各段の塊状部材と前記控え部材とを、間隔をあけつつ対向させた状態をもって、それぞれ積み上げ、
前記各段の塊状部材及び該塊状部材に対向する控え部材の積み上げを終える度に、該塊状部材の上面部と該控え部材の上面部とを連結部材を介して連結し、
前記連結部材を介して連結した塊状部材と控え部材との間に、前記充填材層を形成するための充填材を充填する、
ことを特徴とする土木構築物の構築方法。
【請求項９】
請求項８において、
前記充填材の充填を、前記塊状部材の上面部と該塊状部材に対向する控え部材の上面部とに対する前記連結部材の連結を終了する毎に行う、
ことを特徴とする土木構築物の構築方法。
【請求項１０】
請求項８において、
前記充填材の充填を、前記塊状部材の上面部と該塊状部材に対向する控え部材の上面部とに対する前記該連結部材の連結を複数の積み上げ段に亘って行った後に、その都度行う、
ことを特徴とする土木構築物の構築方法。
【請求項１１】
請求項８において、
前記塊状部材の上面部と前記控え部材の上面部とを連結部材を介して連結するに際して、
前記連結部材として、延び形状とされると共にその両端部に挿通孔を有するものを用意し、
その上で、前記塊状部材と前記控え部材とを、間隔をあけつつ対向させた状態をもって配置し、
次に、前記塊状部材及び前記控え部材の各上面部であって、該塊状部材の上面部と該控え部材の上面部とに前記連結部材を掛け渡したときに該連結部材の各挿通孔が臨む部分に、取付け孔をそれぞれ形成し、
次に、前記塊状部材及び前記控え部材の各取付け孔に対して、前記連結部材の各挿通孔に挿通させながら取付けアンカーをそれぞれ打ち込む、
ことを特徴とする土木構築物の構築方法。
【請求項１２】
請求項８において、
前記各段における複数の塊状部材に対応する控え部材として、共通の控え部材を用意し、
前記各段の複数の塊状部材を、前記共通の控え部材に対して連結部材を介して個々に連結する、
ことを特徴とする土木構築物の構築方法。
【請求項１３】
請求項１１において、
前記各段における複数の塊状部材に対応する控え部材として、共通の控え部材を用意し、
前記共通の控え部材の取付け孔に対して、前記各段における複数の塊状部材からそれぞれ延びる各連結部材の他端部の各挿通孔に挿通させながら共通の取付けアンカーを打ち込む、
ことを特徴とする土木構築物の構築方法。
【請求項１４】
請求項８において、
前記控え部材として、その径が前記塊状部材の径よりも小さいものを用い、
前記塊状部材の上面部と該塊状部材に対向する控え部材の上面部とに対して前記連結部材を連結する前に、該控え部材の上面部の高さを間詰材により調整する、
ことを特徴とする土木構築物の構築方法。
【請求項１５】
請求項１４において、
前記各控え部材の上面部の高さを、該各控え部材に対向する塊状部材の高さに略等しくする、
ことを特徴とする土木構築物の構築方法。
【請求項１６】
請求項８〜１５のいずれか１項において、
前記充填材が、詰め石である、
ことを特徴とする土木構築物の構築方法。
【請求項１７】
請求項８〜１５のいずれか１項において、
前記充填材が、コンクリートである、
ことを特徴とする土木構築物の構築方法。
【請求項１８】
請求項８〜１７のいずれか１項において、
前記連結部材が、軸状部材である、
ことを特徴とする土木構築物の構築方法。
【発明の詳細な説明】
【技術分野】
【０００１】
本発明は、土木構築物及び土木構築物の構築方法に関する。
【背景技術】
【０００２】
近時、護岸等の土木構築物の施工においては、土木構築物用ユニットが用いられる傾向にある。そのような土木構築物用ユニットとしては、特許文献１に示すように、連結部材（延び部材）の一端部に塊状部材を取付け、その他端部に塊状の控え部材（摩擦力増大手段）を取付けたものが知られている。その土木構築物用ユニットを使用するに際しては、その土木構築物用ユニットを複数用意し、その各塊状部材を積み重ねると共にその各連結部材を略平行に配置し、その各連結部材及び塊状の控え部材（摩擦力増大手段）を砕石等（充填材）の中に埋設することが行われている。これにより、塊状の控え部材と砕石等との摩擦力に基づき土木構築物用ユニットの保持状態を強固にできることになり、安定で強固な土木構築物を構築できることになる。
【０００３】
ところで、上記各土木構築物用ユニットにおいては、比較的大きな塊状部材、控え部材が用いられており、それらを連結した土木構築物用ユニットは重量物である。このため、各土木構築物用ユニットを設置面に順次、積み上げるに際しては、バックホウ等の吊上げ機械（大型建設機械）を利用することにより、各土木構築物用ユニットはその設置面にまで吊上げ搬送される。
【先行技術文献】
【特許文献】
【０００４】
【特許文献１】特開平１１−３１０９１３号公報
【発明の概要】
【発明が解決しようとする課題】
【０００５】
しかし、施工現場によっては、吊上げ機械を容易にもち込むことができない場所もあり、そのような場合には、各土木構築物用ユニットを設置面の各設置位置にまで吊上げ搬送することができない。このため、土木構築物用ユニットを設置面上に吊上げ搬送できないときには、人手により搬送できるものでもないことから、設置面上に複数の土木構築物用ユニットを積み上げて土木構築物を構築することが困難となっている。
【０００６】
本発明は以上のような事情を勘案してなされたもので、その第１の技術的課題は、大型の吊上げ機械を用いることができないことに伴って、塊状部材と塊状の控え部材とを連結部材を介して連結した土木構築物用ユニットを搬送することができない場合であっても、そのような土木構築物用ユニットを用いて施工した場合と同等の土木構築物を提供することにある。
第２の技術的課題は、上記土木構築物を簡単に構築できる土木構築物の構築方法を提供することにある。
【課題を解決するための手段】
【０００７】
上記第１の技術的課題を達成するために本発明（請求項１に係る発明）にあっては、
傾斜基礎面の前方の設置面上に、該傾斜基礎面に対向して充填材層が配置され、該充填材層の表面側に複数の塊状部材が表面層として複数段に積み上げられた状態をもって配置され、前記充填材層の背面側に、前記各段の塊状部材に対応するようにした状態で控え部材が配置され、前記各段の塊状部材と前記控え部材とが、前記充填材層を横切る連結部材を介して連結されている土木構築物において、
前記連結部材の一端部が、前記塊状部材の上面部に連結され、
前記連結部材の他端部が、前記控え部材の上面部に連結されている構成としてある。この請求項１の好ましい態様としては、請求項２〜７の記載の通りである。
【０００８】
上記第２の技術的課題を達成するために本発明（請求項８に係る発明）にあっては、
傾斜基礎面の前方の設置面上に、該傾斜基礎面に対向して充填材層が配置され、該充填材層の表面側に複数の塊状部材が表面層として複数段に積み上げられた状態をもって配置され、前記充填材層の背面側に、前記各段の塊状部材に対応するようにした状態で控え部材が配置され、前記各段の塊状部材と前記控え部材とが、前記充填材層を横切る連結部材を介して連結されている土木構築物の構築方法において、
前記設置面上に、前記各段の塊状部材と前記控え部材とを、間隔をあけつつ対向させた状態をもって、それぞれ積み上げ、
前記各段の塊状部材及び該塊状部材に対向する控え部材の積み上げを終える度に、該塊状部材の上面部と該控え部材の上面部とを連結部材を介して連結し、
前記連結部材を介して連結した塊状部材と控え部材との間に、前記充填材層を形成するための充填材を充填する構成としてある。この請求項８の好ましい態様としては、請求項９以下の記載の通りである。
【発明の効果】
【０００９】
請求項１に係る発明によれば、各段の塊状部材と控え部材とが、充填材層を前後に挟持するように配置されている土木構築物において、連結部材の一端部が塊状部材の上面部に連結され、連結部材の他端部が控え部材の上面部に連結されていることから、当該土木構築物の構築過程において、作業者は、積み上げ配置される塊状部材、その塊状部材に対向する控え部材に対して上方側から連結作業を施して、塊状部材と控え部材とを連結部材を介して簡単に連結することができる。このものは、厳密には、塊状部材と控え部材の互いの対向面略中央部に取付け孔をそれぞれ形成し、その各取付け孔に連結部材の端部を連結したもの（大型の吊上げ機械により吊上げ搬送される通常の土木構築物用ユニット）ではないが、控え部材が移動抵抗手段となって塊状部材の脱落を防止する機能を発揮することになり、実質上、上記通常の土木構築物用ユニットと同様の土木構築物用ユニットとして機能する。このため、当該土木構築物の構築過程において、大型の吊上げ機械を用いることができない場合であっても、塊状部材と控え部材とを個々に積み上げ配置し、土木構築物用ユニットを順次、作り上げることにより、設置面上に、複数の土木構築物用ユニットを積み上げることができ、その積み上げられた複数の土木構築物用ユニットの塊状部材と控え部材との間に、充填材を充填して充填材層を形成することにより、従来と同様の安定で強固な土木構築物を構築できる。したがって、大型の吊上げ機械を用いることができないことに伴って、塊状部材と塊状の控え部材とを連結部材を介して連結した土木構築物用ユニットを搬送することができない場合であっても、そのような土木構築物用ユニットを用いて施工した場合と同等の土木構築物を提供できる。
尚、大型の吊上げ機械により吊上げ搬送される通常の土木構築物用ユニット（塊状部材と控え部材の互いの対向面略中央部に取付け孔をそれぞれ形成し、その各取付け孔に連結部材の端部を連結したもの）を設置面上で護岸構築中に作製することも考えられるが、塊状部材及び控え部材の対向面略中央部の取付け孔に連結部材を護岸構築中に取付けることが容易でないことから、そのタイプの土木構築物用ユニットを護岸構築中に作製することは困難な状況にある。
【００１０】
請求項２に係る発明によれば、連結部材の各端部に挿通孔がそれぞれ形成され、塊状部材及び控え部材の各上面部に、取付け孔がそれぞれ形成され、連結部材の一端部と塊状部材の上面部とが、連結部材の一端部の挿通孔及び塊状部材の取付け孔に対して挿入される取付けアンカーをもって連結され、連結部材の他端部と控え部材の上面部とが、連結部材の他端部の挿通孔及び控え部材の取付け孔に対して挿入される取付けアンカーをもって連結されていることから、連結部材の一端部と塊状部材の上面部との連結、連結部材の他端部と控え部材の上面部との連結を的確に行うことは勿論、連結手段として接着剤を用いる場合等に比して、連結作業を迅速に行うことができ、これに伴い、当該土木構築物を迅速に構築できる。
【００１１】
請求項３に係る発明によれば、各段における複数の塊状部材に対応する控え部材として、共通の控え部材が備えられ、各段の複数の塊状部材が、共通の控え部材に対して連結部材を介して個々に連結されていることから、当該土木構築物の構築過程において、各段における複数の塊状部材に対して、１個の共通の控え部材の位置調整だけを行えば足りることになり、各段における各塊状部材に対応する控え部材を個々にそれぞれ位置調整する場合に比べて、作業性を高めることができる。
【００１２】
請求項４に係る発明によれば、各段における複数の塊状部材に対応する控え部材として、共通の控え部材が備えられ、各段における複数の塊状部材からそれぞれ延びる各連結部材の他端部が、共通の控え部材の上面部に対して、共通の取付けアンカーを該各連結部材の他端部の挿通孔に挿通させつつ該共通の控え部材の取付け孔に打ち込むことにより取付けられていることから、控え部材に対する取付け孔の形成負担（取付け孔の数）、取付けアンカーの打ち込み負担（打ち込み回数）を減らすことができるばかりか、取付けアンカーの使用本数も減らすことができる。
【００１３】
請求項５に係る発明によれば、充填材層が詰め石からなる充填層により形成されていることから、傾斜基礎面からの排水を通過できる透水タイプの土木構築物においても、前記請求項１〜４と同様の作用効果を得ることができる。
【００１４】
請求項６に係る発明によれば、各控え部材の径が各塊状部材の径よりも小さくされ、各控え部材が、間詰材により高さ調整されていることから、その控え部材とその控え部材に対向する塊状部材とを連結する連結部材の配置姿勢を調整できることになり、塊状部材及び控え部材に対する連結部材の連結作業調整、充填材層により付与される控え部材の移動抵抗力の調整（塊状部材と控え部材との間の水平距離の調整）等を行うことができる。
【００１５】
請求項７に係る発明によれば、各控え部材が、連結部材が略水平状態となるように高さ調整されていることから、塊状部材及び控え部材に対する連結部材の連結作業を容易化できるばかりか、連結部材の長さの下で、塊状部材と控え部材との間の水平距離を最大にすることができ、充填材層により付与される控え部材の移動抵抗を最も大きくすることができる。このため、塊状部材が前方へ脱落することを防止することに関し、その確実性を高めることができる。
【００１６】
請求項８に係る発明によれば、設置面上に、各段の塊状部材と控え部材とを、間隔をあけつつ対向させた状態をもって、それぞれ積み上げ、各段の塊状部材及び該塊状部材に対向する控え部材の積み上げを終える度に、該塊状部材の上面部と該控え部材の上面部とを連結部材を介して連結し、連結部材を介して連結した塊状部材と控え部材との間に、充填材層を形成するための充填材を充填することから、当該構築方法により、請求項１に係る土木構築物を簡単に得ることができる。
この場合、各塊状部材及び該各塊状部材に対向する控え部材の積み上げを終える度に、該塊状部材の上面部と該控え部材の上面部とを連結部材を介して連結することから、作業者は、上方自由空間を利用することにより、積み上げ配置される塊状部材、該塊状部材に対向する控え部材に対して上方側から連結作業を施して、塊状部材の上面部と控え部材の上面部とを連結部材を介して簡単に連結することができる。
また、充填材の充填の際に、塊状部材と控え部材とが連結部材を介して連結されていることから、その充填材の充填に伴い、塊状部材及び控え部材が移動することを抑制できる。
【００１７】
請求項９に係る発明によれば、充填材の充填を、塊状部材の上面部と該塊状部材に対向する控え部材の上面部とに対する連結部材の連結を終了する毎（一段毎）に行うことから、塊状部材及び控え部材を最も安定した状態に維持しつつ充填材の充填を行うことができ、当該土木構築物の構築作業を確実に行うことができる。
【００１８】
請求項１０に係る発明によれば、充填材の充填を、塊状部材の上面部と該塊状部材に対向する控え部材の上面部とに対する連結部材の連結を複数の積み上げ段に亘って行った後に、その都度行うことから、充填材の充填回数を減らすことができ、当該土木構築物を迅速に構築できる。
【００１９】
請求項１１に係る発明によれば、塊状部材の上面部と該塊状部材に対向する控え部材の上面部とを連結部材を介して連結するに際して、各段の塊状部材と控え部材とを、間隔をあけつつ対向させた状態をもって配置し、その上で、塊状部材及び控え部材の各上面部であって、該塊状部材の上面部と該控え部材の上面部とに連結部材を掛け渡したときに該連結部材の各挿通孔が臨む部分に、取付け孔をそれぞれ形成することから、連結部材の長さ等を考慮しつつ、連結部材の連結位置として適切な位置に取付け孔を形成できることになる。しかもこの後、その適切な位置の各取付け孔に取付けアンカーを連結部材の各挿通孔に挿通させながらそれぞれ打ち込むことから、塊状部材及び控え部材の各上面部と連結部材の各端部との連結を迅速に行うことができる。このため、当該土木構築物を的確且つ迅速に構築できる。
【００２０】
請求項１２に係る発明によれば、各段における複数の塊状部材に対応する控え部材として、共通の控え部材を用意し、各段の複数の塊状部材を、共通の控え部材に対して連結部材を介して個々に連結することから、各段における複数の塊状部材に対して、１個の共通の控え部材の位置調整だけを行えば足りることになり、各段における各塊状部材に対応する控え部材を個々にそれぞれ位置調整する場合に比べて、作業性を高めることができる。
【００２１】
請求項１３に係る発明によれば、各段における複数の塊状部材に対応する控え部材として、共通の控え部材を用意し、共通の控え部材の取付け孔に対して、各段における複数の塊状部材からそれぞれ延びる各連結部材の他端部の各挿通孔に挿通させながら共通の取付けアンカーを打ち込むことから、取付けアンカーの使用本数を減らすことができるばかりか、控え部材に対する取付け孔の形成負担（取付け孔の数）、取付けアンカーの打ち込み負担（打ち込み回数）も減らすことができる。
【００２２】
請求項１４に係る発明によれば、各控え部材の径を各塊状部材の径よりも小さくし、塊状部材の上面部と該塊状部材に対向する控え部材の上面部とに対して連結部材を連結する前に、該控え部材の上面部の高さを間詰材により調整することから、連結部材の配置、姿勢を調整できることになり、塊状部材及び控え部材に対する連結部材の連結作業の容易化調整、控え部材の移動抵抗調整（塊状部材と控え部材との間の水平距離調整）を行うことができる。
【００２３】
請求項１５に係る発明によれば、各控え部材の上面部の高さを、該各控え部材に対向する塊状部材の高さに略等しくすることから、連結部材の配置を略水平状態にでき、連結作業の容易化を図ることができると共に、塊状部材と控え部材との間の水平距離を連結部材の下で最大化して（控え部材の移動抵抗を最大化して）、塊状部材の脱落を防止できる。
【００２４】
請求項１６に係る発明によれば、充填材が詰め石であることから、充填材層が透水性タイプからなるものにおいても、当該土木構築物の構築方法を適用することができる。
【００２５】
請求項１７に係る発明によれば、充填材がコンクリートであることから、充填材層がコンクリート層からなるものにおいても、当該土木構築物の構築方法を適用することができる。
【００２６】
請求項１８に係る発明によれば、連結部材が軸状部材であることから、連結部材を細い軸状のものにすることができ、充填材の充填を、連結部材により阻害されることなく円滑に行うことができる。
【図面の簡単な説明】
【００２７】
【図１】第１実施形態に係る護岸を説明する縦断面図。
【図２】第１実施形態に係る軸状部材を示す平面図。
【図３】図２の正面図。
【図４】自然石に対する軸状部材の取付けを説明する説明図。
【図５】第１実施形態に係る護岸の一連の構築工程を示す工程図。
【図６】第１実施形態に係る一工程を説明する説明図。
【図７】図６の続きの工程を説明する説明図。
【図８】図７の続きの工程を説明する説明図。
【図９】図８の続きの工程を説明する説明図。
【図１０】図９の続きの工程を説明する説明図。
【図１１】一段目の前側自然石及びそれに対応する後側自然石の設置を説明する説明図。
【図１２】第２実施形態を平面的に説明する説明図。
【図１３】第３実施形態を平面的に説明する説明図。
【発明を実施するための形態】
【００２８】
以下、本発明の実施形態について図面に基づいて説明する。
図１において、符号１は、実施形態に係る土木構築物としての護岸を示す。この護岸１は、傾斜した切土面(例えば１：０．５）２の下側に設置面３が設けられ、その設置面３の上方側には、河川Ｗ側から切土面２に向けて順に、塊状部材層４、充填材層５、控え部材層６が設けられている。
【００２９】
前記設置面３上には、図１に示すように、基礎コンクリートブロック７が設置され、その基礎コンクリートブロック７よりも後方側の設置面３及び前記切土面２には、吸い出し防止シートＳが敷設されている。基礎コンクリートブロック７は、河川Ｗ（或いは護岸１）の延設方向（図１中、紙面直交方向）において施工区間だけ延びており、その基礎コンクリートブロック７の延び方向両側には、側壁８（図１１参照）が設けられている。基礎コンクリートブロック７の上部には、傾斜した支持面７ａが形成されており、その支持面７ａは、切土面２から河川Ｗ側に向うに従って上方に向うように傾斜されている。吸い出し防止シートＳは、本実施形態に係る護岸１が透水性を有するタイプであること等を考慮して設けられており、この吸い出し防止シートＳにより、設置面３及び切土面２における土砂等の吸い出しが防止される。
【００３０】
前記塊状部材層４は、図１に示すように、塊状部材としての前側自然石（例えば割石又は玉石）９が基礎コンクリートブロック７から順次、積み上げられた状態で構成されている。積み上げられる各段においては、前側自然石９は、護岸１の延設方向（図１中、紙面直交方向）に連続的な列ＳＬを構成しており、その最上段の前側自然石列ＳＬは、切土面２の上端面（法肩）近くの高さにまで至っている。これにより、前側自然石９（列ＳＬ）は、護岸１の表面層１Ａを構成している。このとき、この表面層１Ａ（各前側自然石９）の勾配は、直立状態〜１：１．０程度の範囲（通常は１：０．５）に設定されている。この各前側自然石９の上面部９ａには、取付け孔９ｂ（図４参照）が形成されることになっている。
【００３１】
前記控え部材層６は、図１に示すように、控え部材としての後側自然石（例えば割石又は玉石）１０が、塊状部材層４よりも背後側（図１中、右側）において、この切土面２に沿いつつ、順次、配置された状態で構成されている。各後側自然石１０は、各前側自然石９に対応（対向）して設けられており、その各後側自然石１０の上面部１０ａの高さは、対応する各前側自然石９の上面部９ａの高さに略等しくされている。本実施形態においては、この高さ調整を容易にすべく、後側自然石１０の径が、前側自然石９の径よりも小さくされ(好ましくは、前側自然石９の径が３００ｍｍ程度に対して後側自然石１０の径が２００ｍｍ程度）、その上で、上下左右に隣り合う各後側自然石１０間に、間詰材としての間詰石（かませ石）１１が適宜、噛まされている。この各後側自然石１０の上面部１０ａにも、取付け孔１０ｂ（図４参照）が形成されることになっている。
【００３２】
前記各前側自然石９の上面部９ａと、その各前側自然石９に対応する後側自然石１０の上面部１０ａとは、図１に示すように、連結部材としての軸状部材１２を介してそれぞれ連結されている。このものは、一種の土木構築物用ユニットを構成しており、このユニットは、図１に示すように、前側自然石９等の積み上げに対応して、複数段に亘って積み上げられている。このユニットは、厳密には、設置面３上での製作を可能にすることを考慮し、吊上げ機械を用いて吊上げ搬送される通常の土木構築物用ユニット（塊状部材と控え部材の互いの対向面略中央部に取付け孔をそれぞれ形成し、その各取付け孔に連結部材の端部を連結したもの：特開平１１−３１０９１３号公報図１０，図１１等参照）とは異なり、前側自然石９の上面部９ａと、その各前側自然石９に対応する後側自然石１０の上面部１０ａとを軸状部材１２を介して連結しているが、後側自然石１０が、移動抵抗手段となって前側自然石９の脱落を防止する機能を発揮することになり、いままでの吊上げ機械を用いて吊上げ搬送される上記通常の土木構築物用ユニットと実質上、同様のものとなっている。
【００３３】
前記各軸状部材１２は、図２，図３に示すように、丸棒状態をもって直線状に延びる本体部１３と、その本体部１３の両端部（一端部及び他端部）に設けられる扁平部１４と、その扁平部１４に形成される挿通孔１５とにより構成されている。この軸状部材１は、その一端部である扁平部１４が前側自然石９の上面部９ａに連結され、その他端部である扁平部１４が、後側自然石１０の上面部１０ａに連結されることになっている。この軸状部材１２としては、鉄棒に亜鉛メッキ又は亜鉛アルミ合金メッキ等を施したもの等が用いられており、その全長は例えば３０〜１００ｃｍとされている。
【００３４】
前記各自然石９（１０）の上面部９ａ（１０ａ）に対する前記軸状部材１２の各扁平部１４（各端部）の連結には、図１に示すように、取付けアンカー１６がそれぞれ用いられている。取付けアンカー１６は、図４に示すように、各扁平部１４の挿通孔１５に挿通させた状態で各自然石９，１０の取付け孔９ｂ（１０ｂ）に打ち込むことにより、軸状部材１２の扁平部１４と自然石９（１０）との連結関係を確保するものであり、本実施形態に係る取付けアンカー１６は、軸部１７と、該軸部１７の基端部に設けられる頭部１８とを一体的に備えている。軸部１７は、その径が、各自然石９，１０に形成される取付け孔９ｂ、１０ｂ、軸状部材１２の挿通孔１５よりもやや小径とされ、その外周面には、その軸心方向中央部から先端にかけて、その軸部１７の軸心方向に延びるようにして多数（複数）の突条１９が周回り方向において順次、形成されている。また、軸部１７には、その軸心方向中央部と先端との間において、該軸部１７の軸心が側方に膨出するように湾曲された湾曲部２０が形成されており、その湾曲部２０の膨出量は、軸部１７の先端を各自然石９（１０）の取付け孔９ｂ（１０ｂ）に入れたとき、その各自然石９（１０）の取付け孔９ｂ（１０ｂ）よりも径方向外方にはみ出るように設定されている。このため、軸部１７が取付け孔９ｂ（１０ｂ）に押し込まれたときには、湾曲部２０が押し開かれた状態（曲率小状態）となり、軸部１７は、湾曲部２０の膨らみ側、湾曲部２０の膨らみ側とは反対側であって湾曲部２０の両外側部分が自然石８の取付け孔９内壁に係合することになって、各自然石９（１０）の取付け孔９ｂ（１０ｂ）に保持されることになる。しかもこの場合、湾曲部２０の膨らみ側における突条１９が、自然石８の取付け孔９内壁に食い込むと共に、湾曲部２０の膨らみ側とは反対側における先端部の突条１９が、自然石８の取付け孔９内壁に食い込むことになり、これにより、取付け孔９内壁に対する軸部１７の係合面積が増大されると共に、取付け孔９に対する軸部１７の回動規制が強化されることになる。また、この軸部１７が取付け孔９ｂ（１０ｂ）に押し込まれる（打ち込まれる）ときには、各突条１９が軸部１７の軸心方向に延びていることから、そのときの押し込み（打ち込み）抵抗力は、各突条９の延び方向が軸部１７の軸心方向以外とされる場合に比べて小さいものとなっている（取付けアンカー１６の取付け作業性の向上）。一方、取付けアンカー１６の頭部１８は、軸状部材１２の各挿通孔１５の径よりも拡径されており、頭部１８は、軸状部材１２を自然石８に取付けるに際して、その軸状部材１２に押圧力を付与すると共に、その軸状部材１２に対して抜け止め機能を発揮することになる。
【００３５】
前記充填材層５は、図１に示すように、積み上げられた前側自然石９と後側自然石との間において、詰め石としての砕石、栗石等（以下、砕石等という）２１を充填することにより構成されている。この砕石等２１としては、前記前側自然石９，後側自然石１０よりも小さいものが用いられており、それらは互いに噛み合った状態となっている。これにより、充填材層５は、各前側自然石９（塊状部材層４）と各後側自然石１０（充填材層５）とにより前後に挟持された配置となり、この充填材層５により各後側自然石１０に対して前方への移動抵抗力が付与されることになる。この結果、その各後側自然石１０に軸状部材１２を介して連結された各前側自然石９は、前方への移動が規制されることになる。
【００３６】
前記塊状部材層４，充填材層５及び控え部材層６の上端面には、図１に示すように、天端コンクリート層２２が設けられている。天端コンクリート層２２は、塊状部材層４，充填材層５及び控え部材層６を上方側から覆い、天端面(上面）を確保している。
尚、表面層１Ａの下部側については、施工後に、根入れ（埋め戻し）が行われることになっている。
【００３７】
このような護岸１は、図５に示す工程図に従い、構築（構築）される。
先ず、図５，図６に示すように、切土面２及び設置面３を形成し、その後、設置面３及び切土面２上に吸い出し防止シートＳを敷設する。また、設置面２上に護岸１の構築区間の全体に亘って基礎コンクリートブロック７を形成すると共に、その基礎コンクリートブロック７の延び方向両側に側壁８(図１１参照）を形成する。さらに、本実施形態においては、切土面２と基礎コンクリートブロック７との間の設置面３（吸い出し防止シートＳ）上に、基盤層を形成するべく、砕石等２１及び間詰石１１を敷く。
【００３８】
次に、複数の前側自然石９及び複数の後側自然石１０を用意し、一段目の前側自然石列ＳＬを形成すべく、複数の前側自然石９を、図５，図７，図１１に示すように、基礎コンクリートブロック７の支持面７ａ上に配置すると共に、その一段目の各前側自然石９に対応する後側自然石１０を該各前側自然石９の背面側に一定間隔をあけて配置する。このとき、各後側自然石１０は、切土面２に沿うように配置されると共に、間詰石１１が詰められて、それらにより各後側自然石１０に対する高さ調整、姿勢安定化調整が行われる。これにより、後側自然石１０は、その上面部１０ａの高さが前側自然石９の上面部９ａの高さと略等しくされると共に、その配置が安定化される。勿論、この各自然石９，１０を配置するに際しては、その配置安定性等を考慮して、配置姿勢の調整（向き調整）が行われる。これら一連の作業は、基本的に、作業員の手作業により行われる。
【００３９】
上記一段目の前側自然石９の列ＳＬ及びその一段目の各前側自然石９に対応する後側自然石１０の列の設置を終えると、図５，図８に示すように、前側自然石９の上面部９ａと後側自然石１０の上面部１０ａとを軸状部材１２を介して連結する。大型の吊上げ機械により吊上げ搬送される通常の土木構築物用ユニットと実質上、同等の土木構築物用ユニットを作り上げるためである。この場合、前側自然石９の上面部９ａ及び後側自然石１０の上面部１０ａに対して軸状部材１２を連結するのは、その前側自然石９及び後側自然石１０の上方自由空間を有効に利用して、上方側からの連結作業により当該土木構築物用ユニットを作り上げることができるようにするためである。
具体的には、先ず、前側自然石９の上面部９ａと後側自然石１０の上面部１０ａとに軸状部材１２が掛け渡されて、その前側自然石９の上面部９ａ及び後側自然石１０の上面部１０ａにおいて、軸状部材１２の連結に適した位置（挿通孔１５が臨む位置）が特定され、そこに、取付け孔９ａ，１０ａがドリル等を用いてそれぞれ形成される。その取付け孔９ａ，１０ａが形成されると、その各取付け孔９ａ（１０ａ）内に取付けアンカー１６が、軸状部材１２の各挿通孔１５に挿通させながらハンマー２４によりそれぞれ打ち込まれ（図４も参照）、前側自然石９と軸状部材１２の一端部とが連結されると共に、後側自然石１０と軸状部材１２の他端部とが連結される。このとき、前側自然石９の上面部９ａの高さと後側自然石１０の上面部１０ａの高さとが略等しいことから、軸状部材１２は略水平状態となる。
【００４０】
一段目の各前側自然石９の上面部９ａと、それに対応する各後側自然石１０の上面部１０ａとを軸状部材１２により連結し終えると、その一段目の前側自然石９の列と、それに対応する各後側自然石１０の列等との間に、図５，図９に示すように、砕石等２１を投入する。一段目の高さの範囲で充填材層５を形成するためである。このため、砕石等２１の投入は、一段目の前側自然石９の上面部９ａ等の高さになるまで行われる。この場合、連結部材として軸状部材１２が用いられることから、その細幅形状（小径形状）に基づき、砕石等２１の充填（投入）が阻害されることが抑制される。またこの場合、軸状部材１２は、前側自然石９とそれに対応する後側自然石１０とを連結して、各自然石９，１０の移動を抑制していることから、その両者９，１０間に砕石等２１の投入が行われても、それらが押し開かれる方向に移動することは抑制される。
【００４１】
一段目の前側自然石９の列と、それに対応する各後側自然石１０の列等との間に砕石等２１を充填し終えると、当該護岸１を所定高さ（所定段数（最上段））とするべく、これまでの一連の工程を繰り返す。すなわち、図５に示すように、次の前側自然石９及び後側自然石１０（の列）を、これまでの前側自然石９及び後側自然石１０に対して積み上げる工程（図１０参照）、その前側自然石９と後側自然石１０とを軸状部材１２を介して連結する工程、軸状部材１２を介して連結した前側自然石９と後側自然石１０との間に砕石等２１を充填する工程が、順次、繰り返される。本実施形態においては、砕石等２１を充填する工程が、前側自然石９と後側自然石１０とを軸状部材１２を介して連結する工程を終える度に行われることになっているが、これは、前側自然石９及び後側自然石１０を最も安定した状態に維持しつつ（崩れ落ちないようにしつつ）、砕石等２１の充填を行うためである。
【００４２】
上記作業を終えると、その最上段の前側自然石９の列、それに対応する各後側自然石１０の列等の上面に天端コンクリート層９を形成すると共に、当該護岸１の下部前面側に対して根入れを施す。これにより、当該護岸１の構築作業は終了することになり、図１に示す護岸１を得ることになる。
【００４３】
したがって、このような護岸１及びその構築方法にあっては、設置面３上において、前側自然石９と後側自然石１０とを間隔をあけつつ対向させた状態に配置した上で、その前側自然石９及び後側自然石１０の各上面部９ａ、１０ａに軸状部材１２を掛け渡し、それらの上方側から連結作業（ハンマー２４による取付けアンカー１６の打ち込み）を施すことから、上方自由空間を利用して、前側自然石９と後側自然石１０とを軸状部材１２を介して簡単に連結することができる（土木構築物用ユニットの作製）。このため、大型の吊上げ機械を用いることができない場合であっても、前側自然石９と後側自然石１０とを個々に積み上げて（作業者による積み上げ）、その前側自然石９の上面部９ａと後側自然石１０の上面部１０ａとを軸状部材１２を介して連結することにより（土木構築物用ユニットを順次、作製することにより）、設置面３上に、複数の土木構築物用ユニットを積み上げることができる。
【００４４】
これに対しては、大型の吊上げ機械により搬送される通常の土木構築物用ユニットを施工現場（設置面３上）において作製することが考えられるが、その通常の土木構築物用ユニットは、塊状部材と控え部材の互いの対向面略中央部に取付け孔をそれぞれ形成し、その各取付け孔に軸状部材の端部を取付けるものであり（特開平１１−３１０９１３号公報図１０，図１１等参照）、それを護岸構築過程中に施工現場（設置面３）上において作製することは、塊状部材及び控え部材の対向面略中央部の取付け孔に対する軸状部材の取付けが容易でないことから、困難な状況にある。
【００４５】
その一方、上記作製した土木構築物用ユニットの前側自然石９と後側自然石１０との間にその作製の度に砕石等２１を充填し、以後、この一連の工程を繰り返すことにより当該護岸１を構築すれば、その表面は、強固な前側自然石９（塊状部材層４）により保護され、その前側自然石９の前方への脱落に関しては、前側自然石９に対して軸状部材１２を介して連結される各後側自然石１０が、充填材層５により前方への移動抵抗力が付与されることにより抑制する。このため、当該護岸１は、大型の吊上げ機械を用いて搬送される通常の土木構築物用ユニットを用いて構築した場合と同様の安定性と強固性とを備えることになる。
【００４６】
図１２は第２実施形態、図１３は第３実施形態を示す。この各実施形態において、前記第１実施形態と同一構成要素については同一符号を付してその説明を省略する。
【００４７】
図１２に示す第２実施形態は、所定段の構築に際して、複数（本実施形態においては５個）の前側自然石９を１個の共通の後側自然石１０に軸状部材１２を介してそれぞれ連結したものを平面的に示している。具体的には、軸状部材１２の各一端部が各前側自然石９の上面部９ａに連結され、その各他端部は、共通の後側自然石１０の上面部１０ａに重ねた状態で連結されている。この場合、複数（本実施形態においては５個）の前側自然石９当たり１個の共通の後側自然石１０が用意され、その１個の共通の後側自然石１０の取付け孔１０ｂに、共通の取付けアンカー１６を各軸状部材１２の他端部の挿通孔１５に挿通させながら打ち込むことにより、その各軸状部材１２の他端部が共通の後側自然石１０の上面部１０ａに連結されることになっている。このため、複数の前側自然石９に対して、１個の共通の後側自然石１０の位置調整だけを行えば足りることになり、各前側自然石９対して後側自然石９を個々に設ける場合に比べて、作業性を高めることができる。また同時に、複数（本実施形態においては５個）の前側自然石９当たり１個の共通の後側自然石１０にだけ取付け孔１０ａを形成すればよくなり、取付け孔１０ａの形成負担（取付け孔の数）の軽減を図ることができ、これに伴って、取付けアンカー１６の打ち込み負担（打ち込み回数）も減らすことができると共に、取付けアンカー１６の使用本数も減らすことができる。
【００４８】
本実施形態においては、軸状部材１２として、同じ長さのものが用いられて、複数の前側自然石９の表面形状が、上方側から見て円弧状となっており、このような複数の前側自然石９の表面形状はコーナー部等に用いられる。勿論、軸状部材１２の長さが異なるものを用いてもよい。
【００４９】
図１３に示す第３実施形態は、２個の前側自然石９当たり１個の共通の後側自然石１０を設けたものを示している。このような構成とすることにより、作業性を高めつつ（取付け孔１０ａの形成負担、取付けアンカー１６の打ち込み負担等の低減）、複数の前側自然石９の表面形状を上方側から見てフラットにすることができる。
【００５０】
以上実施形態について説明したが本発明にあっては、次のような態様を包含する。
（１）塊状部材、控え部材として、自然石の他に、擬石、コンクリートブロック（コンクリートガラ、古いコンクリートブロックを含む）等を用いること。
（２）本発明を、護岸１に限らず擁壁等に適用すること。
（３）控え部材層６を、控え部材としての後側自然石１０だけの積み重ねにより構成すること。
（４）充填材材層５の充填材として、コンクリートを用いること。
（５）前側自然石９，後側自然石１０の積み上げ、それらに対する軸状部材１２の連結を複数段（例えば２段又は３段）に亘って行った後毎に、充填材としての砕石等２１を充填すること。
（６）塊状部材（前側自然石９）、控え部材（後側自然石１０）に対して連結部材（軸状部材１２）を連結するに際して、取付けアンカー１６に代えて接着剤を用いること。この場合、接着剤としては、硬化の速いものが好ましい。
（７）バックホウ等の吊上げ機械（大型建設機械）を用いなくても、人手により搬送可能なときには、前側自然石９と後側自然石１０とを軸状部材１２により連結した土木構築物用ユニットを予め形成し、それを搬送して用いること。
（８）切土面２として、急激な勾配のものが形成できないとき等においては、控え部材６と切土面２との間に裏込め材を充填すること。
【００５１】
尚、本発明の目的は、明記されたものに限らず、実質的に好ましい或は利点として記載されたものに対応したものを提供することをも暗黙的に含むものである。
【符号の説明】
【００５２】
１  護岸（土木構築物）
１Ａ  表面層
２  切土面（傾斜基礎面）
９  前側自然石（塊状部材）
９ａ  前側自然石の上面部
１０  後側自然石（控え部材）
１０ａ  後側自然石の上面部
１０ｂ  取付け孔
１１  間詰石（間詰材）
１２  軸状部材（連結部材）
１６  取付けアンカー
【図１】
2010189860.tif 000003
【図２】
2010189860.tif 000004
【図３】
2010189860.tif 000005
【図４】
2010189860.tif 000006
【図５】
2010189860.tif 000007
【図６】
2010189860.tif 000008
【図７】
2010189860.tif 000009
【図８】
2010189860.tif 000010
【図９】
2010189860.tif 000011
【図１０】
2010189860.tif 000012
【図１１】
2010189860.tif 000013
【図１２】
2010189860.tif 000014
【図１３】
2010189860.tif 000015